(57)【要約】【課題】ＡＥＳ音声信号から例えば３２ビット以上の纏まった単位で時間情報を取り出すことができるようにする。【解決手段】ＮサンプルのＡＥＳ音声信号に含まれているユーザデータビットＵを削除して、そのＡＥＳ音声信号のフォーマットを変換するＡＥＳデータ変換部１と、ＡＥＳデータ変換部１によりＮサンプルのＡＥＳ音声信号が受信される毎に、１サンプル目のＡＥＳ音声信号の読み出し時間を示すＮビットの時間情報信号を受信する時間情報受信部２とを設け、Ｎビットの時間情報データとヘッダ情報Ａ，ＢをＡＥＳデータ変換部１によりフォーマットが変換されたＮサンプルのＡＥＳ音声信号に多重化する。【選択図】図１
2008257059.tif 000002
【特許請求の範囲】
【請求項１】
複数サンプルのＡＥＳ音声信号を受信し、上記ＡＥＳ音声信号に含まれている一部のビットを削除して、上記ＡＥＳ音声信号のフォーマットを変換するフォーマット変換手段と、上記フォーマット変換手段により複数サンプルのＡＥＳ音声信号が受信される毎に、上記ＡＥＳ音声信号の時間情報を受信する時間情報受信手段と、上記時間情報受信手段により受信された時間情報を上記フォーマット変換手段によりフォーマットが変換された複数サンプルのＡＥＳ音声信号に多重化する多重化手段とを備えた音声受信装置。
【請求項２】
フォーマット変換手段は、ＡＥＳ音声信号に含まれているユーザデータビット又はオグジジャリビットを削除することを特徴とする請求項１記載の音声受信装置。
【請求項３】
多重化手段は、時間情報受信手段により受信された時間情報の他に、フォーマット変換手段により削除されたユーザデータビット又はオグジジャリビットのビット数を示すヘッダ情報と、上記時間情報のビット数を上記ユーザデータビット又はオグジジャリビットのビット数で除算した除算結果を示すヘッダ情報とをＡＥＳ音声信号に多重化することを特徴とする請求項１または請求項２記載の音声受信装置。
【請求項４】
フォーマット変換手段は、ＡＥＳ音声信号に含まれているユーザデータビット又はオグジジャリビットの他に、上記ＡＥＳ音声信号の下位ビットを削除することを特徴とする請求項２記載の音声受信装置。
【請求項５】
ヘッダ情報及び時間情報が多重化されているＡＥＳ音声信号を取得し、上記ＡＥＳ音声信号からヘッダ情報を分離するヘッダ情報分離手段と、上記ヘッダ情報分離手段により分離されたヘッダ情報を参照して、上記ＡＥＳ音声信号と上記時間情報を分離する信号分離手段と、上記ヘッダ情報分離手段により分離されたヘッダ情報が示すビット数分の０データを上記信号分離手段により分離されたＡＥＳ音声信号に補充する０データ補充手段と、映像信号に係る基準時間情報を受信する基準時間情報受信手段と、上記基準時間情報受信手段により受信された基準時間情報と上記信号分離手段により分離された時間情報が一致するタイミングで、上記データ補充手段により０データが補充されたＡＥＳ音声信号を出力するＡＥＳ音声信号出力手段とを備えた音声信号送信装置。
【発明の詳細な説明】
【技術分野】
【０００１】
この発明は、映像と音声の同期を図る音声信号受信装置及び音声信号送信装置に関するものである。
【背景技術】
【０００２】
近年、記録媒体の低価格化やアクセスの容易化を図る観点から、映画フィルムのファイル化や、放送局における放送素材のファイル化が進んでいる。
ファイルから映像信号や音声信号を読み出して再生する場合、映像と音声の同期を合わせるため、映像ファイルの読み出し開始時間を起点にして、音声ファイルを読み出すようにしている。
ただし、この場合、何らかの原因で、音声ファイルの読み出し開始時間が遅れると、映像と音声の同期がずれる状況が発生する。
【０００３】
映像と音声の同期ずれを解消する方法としては、例えば、ＡＥＳ音声信号（ＡＥＳ規格の音声信号）のユーザデータビットやチャネルステータスビットに時間情報（ＡＥＳ音声信号の読み出し時間を示す情報）を多重してファイル化し、その時間情報を参照して音声ファイルの読み出しを行う方法が考えられる。
そこで、従来の音声信号受信装置では、例えば、時間情報が６４ビットの情報である場合、１サンプルのＡＥＳ音声信号を受信する毎に、そのＡＥＳ音声信号における１ビットのユーザデータビットに、その時間情報の１ビット分を格納する。
即ち、従来の音声信号受信装置は、６４ビットの時間情報を１ビットの部分情報に分解して、１ビットの部分情報を６４サンプルのＡＥＳ音声信号にそれぞれ多重化するようにしている。
なお、ＡＥＳ音声信号については、例えば、以下の非特許文献１に開示されている。
【０００４】
【非特許文献１】AES3-2003 「AES standard for digital audio Digital input-output interfacing Serial transmission format for two channel linearly represented digital audio data」
【発明の開示】
【発明が解決しようとする課題】
【０００５】
従来の音声信号受信装置は以上のように構成されているので、映像と音声の同期を図ることができる。しかし、１サンプルのＡＥＳ音声信号のユーザデータビットには、６４ビットの時間情報の部分情報（時間情報の１ビット分）が格納されているので、そのＡＥＳ音声信号から時間情報の部分情報を取り出すには、１ビット単位のファイルアクセスが必要であり、アクセス側の装置の処理負荷が高くなるなどの課題があった。
【０００６】
この発明は上記のような課題を解決するためになされたもので、ＡＥＳ音声信号から例えば３２ビット以上の纏まった単位で時間情報を取り出すことができるようにして、アクセス側の装置の処理負荷を軽減することができる音声信号受信装置及び音声信号送信装置を得ることを目的とする。
【課題を解決するための手段】
【０００７】
この発明に係る音声受信装置は、複数サンプルのＡＥＳ音声信号に含まれている一部のビットを削除して、そのＡＥＳ音声信号のフォーマットを変換するフォーマット変換手段と、フォーマット変換手段により複数サンプルのＡＥＳ音声信号が受信される毎に、ＡＥＳ音声信号の時間情報を受信する時間情報受信手段とを設け、多重化手段が時間情報受信手段により受信された時間情報をフォーマット変換手段によりフォーマットが変換された複数サンプルのＡＥＳ音声信号に多重化するようにしたものである。
【発明の効果】
【０００８】
この発明によれば、複数サンプルのＡＥＳ音声信号に含まれている一部のビットを削除して、そのＡＥＳ音声信号のフォーマットを変換するフォーマット変換手段と、フォーマット変換手段により複数サンプルのＡＥＳ音声信号が受信される毎に、ＡＥＳ音声信号の時間情報を受信する時間情報受信手段とを設け、多重化手段が時間情報受信手段により受信された時間情報をフォーマット変換手段によりフォーマットが変換された複数サンプルのＡＥＳ音声信号に多重化するように構成したので、多重化後のＡＥＳ音声信号から例えば３２ビット以上の纏まった単位で時間情報を取り出すことができるようになり、その結果、アクセス側の装置の処理負荷を軽減することができる効果がある。
【発明を実施するための最良の形態】
【０００９】
実施の形態１．
図１はこの発明の実施の形態１による音声受信装置を示す構成図であり、図において、ＡＥＳデータ変換部１はＮサンプル（例えば、Ｎ＝６４）のＡＥＳ音声信号を受信し、そのＡＥＳ音声信号に含まれているユーザデータビットを削除して、そのＡＥＳ音声信号のフォーマットを変換し、フォーマット変換後のＡＥＳ音声信号（以下、「ＡＥＳ音声データ」と称する）を出力する処理を実施する。なお、ＡＥＳデータ変換部１はフォーマット変換手段を構成している。
時間情報受信部２はＡＥＳデータ変換部１によりＮサンプルのＡＥＳ音声信号が受信される毎に、ＡＥＳ音声信号（例えば、１サンプル目のＡＥＳ音声信号）の読み出し時間を示すＮビットの時間情報信号（または、音声信号を映像信号に同期させるための映像フレームの情報）を受信し、Ｎビットの時間情報信号を時間情報データとして出力する。なお、時間情報受信部２は時間情報受信手段を構成している。
【００１０】
ヘッダ情報生成部３はＡＥＳデータ変換部１により削除されるユーザデータビットのビット数を示すヘッダ情報Ａを生成するとともに、時間情報受信部２により生成される時間情報データのビット数をＡＥＳデータ変換部１により削除されるユーザデータビットのビット数で除算した除算結果を示すヘッダ情報Ｂを生成する処理を実施する。
付加データ多重化部４は時間情報受信部２から出力されたＮビットの時間情報データとヘッダ情報生成部３により生成されたヘッダ情報Ａ，ＢをＡＥＳデータ変換部１から出力されたＡＥＳ音声データに多重化し、多重化後のＡＥＳ音声データをファイル形式で、例えばハードディスクなどの記憶媒体に記録する（あるいは、多重化後のＡＥＳ音声データを伝送路に出力する）処理を実施する。
なお、ヘッダ情報生成部３及び付加データ多重化部４から多重化手段が構成されている。
【００１１】
次に動作について説明する。
ＡＥＳデータ変換部１は、Ｎサンプル（例えば、Ｎ＝６４）のＡＥＳ音声信号を受信する。
図２は２４ビットの音声データを伝送する場合のＡＥＳ音声信号の最小のデータ構造を示す説明図である。
図２において、プリアンブル（Ｐｒｅａｍｂｌｅ）はＡＥＳ音声信号の同期語であり、「２４−ｂｉｔ  ａｕｄｉｏ  ｓａｍｐｌｅ  ｗｏｒｄ」は２４ビットの音声データである。
Ｖは音声データの正しさを表すバリディティビット（Ｖａｌｉｄｉｔｙ  ｂｉｔ）、Ｕは使用者が自由に使用することが可能なユーザデータビット（Ｕｓｅｒ  ｄａｔａ  ｂｉｔ）である。
また、Ｃは音声データのフォーマット情報等を伝送するチャネルステータスビット（Ｃｈａｎｎｅｌ  ｓｔａｔｕｓ  ｂｉｔ）、Ｐはビット（４）〜（３０）の偶数パリティを示すパリティビット（Ｐａｒｉｔｙ  ｂｉｔ）である。
【００１２】
ＡＥＳデータ変換部１は、ＡＥＳ音声信号を受信すると、そのＡＥＳ音声信号に含まれているユーザデータビットＵを削除して、チャネルステータスビットＣとパリティビットＰをそれぞれ１ビットずつシフトさせるフォーマット変換を実施し、フォーマット変換後のＡＥＳ音声信号であるＡＥＳ音声データを付加データ多重化部４に出力する。
図３はＡＥＳデータ変換部１によるフォーマット変換後のＡＥＳ音声信号であるＡＥＳ音声データのデータ構造を示している。
【００１３】
時間情報受信部２は、ＡＥＳデータ変換部１がＮサンプルのＡＥＳ音声信号を受信する毎に、例えば、１サンプル目のＡＥＳ音声信号の読み出し時間を示すＮビットの時間情報信号を受信する。
そして、時間情報受信部２は、Ｎビットの時間情報信号を時間情報データとして、その時間情報データを付加データ多重化部４に出力する。
【００１４】
ヘッダ情報生成部３は、２つのヘッダ情報Ａ，Ｂを生成し、そのヘッダ情報Ａ，Ｂを付加データ多重化部４に出力する。
ヘッダ情報Ａは、ＡＥＳデータ変換部１によりＡＥＳ音声信号から削除されるユーザデータビットＵのビット数を示す情報であり、“１”である。
また、ヘッダ情報Ｂは、時間情報受信部２から出力される時間情報データのビット数をＡＥＳデータ変換部１により削除されるユーザデータビットＵのビット数で除算した除算結果を示す情報である。
例えば、Ｎ＝６４である場合、時間情報受信部２から出力される時間情報データのビット数は６４ビットであり、ＡＥＳデータ変換部１により削除されるユーザデータビットＵのビット数は１ビットであるため、ヘッダ情報Ｂは“６４”になる。
ヘッダ情報Ｂ＝６４／１＝６４
【００１５】
付加データ多重化部４は、ＡＥＳデータ変換部１からＮサンプルのＡＥＳ音声データを受け、時間情報受信部２からＮビットの時間情報データを受け、ヘッダ情報生成部３からヘッダ情報Ａ，Ｂを受けると、Ｎビットの時間情報データとヘッダ情報Ａ，ＢをＮサンプルのＡＥＳ音声データに多重化する。
即ち、付加データ多重化部４は、図４に示すように、ＡＥＳ音声データの前にヘッダ情報Ａ，Ｂを付加し、ＡＥＳ音声データの後ろにＮビットの時間情報データを付加する多重化処理を実施する。
付加データ多重化部４は、多重化後のＡＥＳ音声データをファイル形式で、例えばハードディスクなどの記憶媒体に記録する。あるいは、多重化後のＡＥＳ音声データを伝送路に出力する。
ここでは、付加データ多重化部４が時間情報データをＡＥＳ音声データに付加するものについて示したが、例えば、音声の番組種別、チャネル情報、圧縮の有無情報などの音声素材情報などをＡＥＳ音声データに付加するようにしてもよい。
【００１６】
以上で明らかなように、この実施の形態１によれば、ＮサンプルのＡＥＳ音声信号に含まれているユーザデータビットＵを削除して、そのＡＥＳ音声信号のフォーマットを変換するＡＥＳデータ変換部１と、ＡＥＳデータ変換部１によりＮサンプルのＡＥＳ音声信号が受信される毎に、１サンプル目のＡＥＳ音声信号の読み出し時間を示すＮビットの時間情報信号を受信し、Ｎビットの時間情報信号を時間情報データとして出力する時間情報受信部２と、ＡＥＳデータ変換部１により削除されるユーザデータビットＵのビット数を示すヘッダ情報Ａを生成するとともに、時間情報受信部２により生成される時間情報データのビット数をＡＥＳデータ変換部１により削除されるユーザデータビットＵのビット数で除算した除算結果を示すヘッダ情報Ｂを生成するヘッダ情報生成部３とを設け、付加データ多重化部４が時間情報受信部２から出力されたＮビットの時間情報データとヘッダ情報生成部３により生成されたヘッダ情報Ａ，ＢをＡＥＳデータ変換部１によりフォーマットが変換されたＮサンプルのＡＥＳ音声信号に多重化するように構成したので、多重化後のＡＥＳ音声データから例えば３２ビット以上の纏まった単位で時間情報データを取り出すことができるようになり、その結果、アクセス側の装置の処理負荷を軽減することができる効果を奏する。
【００１７】
即ち、この実施の形態１によれば、ＡＥＳデータ変換部１が例えば６４サンプルのＡＥＳ音声信号を受信する場合、６４ビットの時間情報データが６４サンプルのＡＥＳ音声データに多重されることになる。６４サンプルのＡＥＳ音声データは、ＡＥＳ音声のサンプリング周波数が例えば４８ｋＨｚであるとすると、時間換算で約１．３ｍｓに相当する。
このとき、映像フレームの周波数が例えば２４Ｈｚである場合、時間換算で約４１．６ｍｓであるため、時間情報受信部２により生成される時間情報データも４１．６ｍｓ以下の周期であればよく、上記の１．３ｍｓは、映像と音声の同期を取るには十分な値であることがわかる。
【００１８】
実施の形態２．
上記実施の形態１では、ＡＥＳデータ変換部１がＡＥＳ音声信号に含まれているユーザデータビットＵを削除して、そのＡＥＳ音声信号のフォーマットを変換するものについて示したが、ＡＥＳデータ変換部１がＡＥＳ音声信号に含まれているオグジジャリビットを削除して、そのＡＥＳ音声信号のフォーマットを変換するようにしてもよい。
具体的には、以下の通りである。
【００１９】
この実施の形態２では、上記実施の形態１と異なり、２０ビットの音声データを伝送するものとする。
図５は２０ビットの音声データを伝送する場合のＡＥＳ音声信号の最小のデータ構造を示す説明図である。
図２のデータ構造と異なる点は、音声データの下位４ビットが、オグジジャリビットＡＵＸ（Ａｕｘｉｌｉａｒｙ  ｓａｍｐｌｅ  ｂｉｔｓ）と呼ばれる補助データに置き換わっている点である。
【００２０】
ＡＥＳデータ変換部１は、ＡＥＳ音声信号を受信すると、そのＡＥＳ音声信号に含まれているオグジジャリビットＡＵＸを削除して、２０ビットの音声データ、バリディティビットＶ、ユーザデータビットＵ、チャネルステータスビットＣ及びパリティビットＰをそれぞれ４ビットずつシフトさせるフォーマット変換を実施し、フォーマット変換後のＡＥＳ音声信号であるＡＥＳ音声データを付加データ多重化部４に出力する。
図６はＡＥＳデータ変換部１によるフォーマット変換後のＡＥＳ音声信号であるＡＥＳ音声データのデータ構造を示している。
【００２１】
時間情報受信部２は、ＡＥＳデータ変換部１がＮ／４サンプル（例えば、Ｎ＝６４）のＡＥＳ音声信号を受信する毎に、例えば、１サンプル目のＡＥＳ音声信号の読み出し時間を示すＮビットの時間情報信号（または、音声信号を映像信号に同期させる映像フレームの情報）を受信する。
そして、時間情報受信部２は、Ｎビットの時間情報信号を時間情報データとして、その時間情報データを付加データ多重化部４に出力する。
【００２２】
ヘッダ情報生成部３は、２つのヘッダ情報Ａ，Ｂを生成し、そのヘッダ情報Ａ，Ｂを付加データ多重化部４に出力する。
ヘッダ情報Ａは、ＡＥＳデータ変換部１によりＡＥＳ音声信号から削除されるオグジジャリビットＡＵＸのビット数を示す情報であり、“４”である。
また、ヘッダ情報Ｂは、時間情報受信部２から出力される時間情報データのビット数をＡＥＳデータ変換部１により削除されるオグジジャリビットＡＵＸのビット数で除算した除算結果を示す情報である。
例えば、Ｎ＝６４である場合、時間情報受信部２から出力される時間情報データのビット数は６４ビットであり、ＡＥＳデータ変換部１により削除されるオグジジャリビットＡＵＸのビット数は４ビットであるため、ヘッダ情報Ｂは“１６”になる。
ヘッダ情報Ｂ＝６４／４＝１６
【００２３】
付加データ多重化部４は、ＡＥＳデータ変換部１からＮ／４サンプルのＡＥＳ音声データを受け、時間情報受信部２からＮビットの時間情報データを受け、ヘッダ情報生成部３からヘッダ情報Ａ，Ｂを受けると、Ｎビットの時間情報データとヘッダ情報Ａ，ＢをＮ／４サンプルのＡＥＳ音声データに多重化する。
即ち、付加データ多重化部４は、図７に示すように、ＡＥＳ音声データの前にヘッダ情報Ａ，Ｂを付加し、ＡＥＳ音声データの後ろにＮビットの時間情報データを付加する多重化処理を実施する。
付加データ多重化部４は、多重化後のＡＥＳ音声データをファイル形式で、例えばハードディスクなどの記憶媒体に記録する。あるいは、多重化後のＡＥＳ音声データを伝送路に出力する。
ここでは、付加データ多重化部４が時間情報データをＡＥＳ音声データに付加するものについて示したが、例えば、音声の番組種別、チャネル情報、圧縮の有無情報などの音声素材情報などをＡＥＳ音声データに付加するようにしてもよい。
【００２４】
以上で明らかなように、この実施の形態２によれば、ＡＥＳデータ変換部１がＡＥＳ音声信号に含まれているオグジジャリビットＡＵＸを削除して、そのＡＥＳ音声信号のフォーマットを変換するように構成したので、上記実施の形態１と同様の効果を奏する他に、上記実施の形態１と同じ情報量の時間情報データを伝送する際、約１／４の時間で伝送することができる効果を奏する。
即ち、上記実施の形態１では、６４ビットの時間情報データを伝送するのに、ＮサンプルのＡＥＳ音声データを伝送する必要があるが、この実施の形態２では、６４ビットの時間情報データを伝送するのに、Ｎ／４サンプルのＡＥＳ音声データを伝送するだけで足りるため、伝送時間が約１／４に短縮される。
【００２５】
また、この実施の形態２によれば、ＡＥＳ音声信号からユーザデータビットＵを削除することなく、時間情報データを伝送することが可能であるため、ユーザデータビットＵを、時間情報データを伝送すること以外の別の用途で使用することができる効果を奏する。
【００２６】
実施の形態３．
図８はこの発明の実施の形態３による音声送信装置を示す構成図であり、図において、ヘッダ分離部１１は例えばハードディスクなどの記録媒体又は伝送路からヘッダ情報Ａ，Ｂ及び時間情報データが多重化されている図４のＡＥＳ音声データ（図１の音声受信装置によりヘッダ情報Ａ，Ｂ及び時間情報データが多重化されたＡＥＳ音声データ）を取得し、そのＡＥＳ音声データからヘッダ情報Ａ，Ｂを分離する処理を実施する。なお、ヘッダ分離部１１はヘッダ情報分離手段を構成している。
【００２７】
データ分離制御部１２はヘッダ分離部１１により分離されたヘッダ情報Ａ，Ｂを参照して、ＡＥＳ音声データと時間情報データの分離を制御する分離制御信号をＡＥＳ音声データ・時間情報データ分離部１３に出力する処理を実施する。
ＡＥＳ音声データ・時間情報データ分離部１３はデータ分離制御部１２から出力された分離制御信号にしたがって、ヘッダ分離部１１から出力されたＡＥＳ音声データと時間情報データを分離する処理を実施する。
なお、データ分離制御部１２及びＡＥＳ音声データ・時間情報データ分離部１３から信号分離手段が構成されている。
【００２８】
ＡＥＳデータ補間部１４はヘッダ分離部１１により分離されたヘッダ情報Ａが示すユーザデータビットのビット数分の０データをデータ分離制御部１２により分離されたＡＥＳ音声データに補充する処理を実施する。ＡＥＳデータ補間部１４は０データ補充手段を構成している。
基準時間情報受信部１５は映像信号に係る基準時間情報信号（例えば、映像信号の再生時間を示す時間情報信号）を受信し、その基準時間情報信号を基準時間情報データとして読み出し制御部１６に出力する処理を実施する。基準時間情報受信部１５は基準時間情報受信手段を構成している。
【００２９】
読み出し制御部１６は基準時間情報受信部１５から出力された基準時間情報データとＡＥＳ音声データ・時間情報データ分離部１３から出力された時間情報データが一致するタイミングで、ＡＥＳ音声データの読み出しを指示する読み出し制御信号をＡＥＳデータメモリ部１７に出力する処理を実施する。
ＡＥＳデータメモリ部１７はＡＥＳデータ補間部１４により０データが補充されたＡＥＳ音声データを格納し、読み出し制御部１６から読み出し制御信号が出力されたとき、そのＡＥＳ音声データを出力する処理を実施する。
なお、読み出し制御部１６及びＡＥＳデータメモリ部１７からＡＥＳ音声信号出力手段が構成されている。
【００３０】
次に動作について説明する。
ヘッダ分離部１１は、例えば、ハードディスクなどの記録媒体又は伝送路からヘッダ情報Ａ，Ｂ及び時間情報データが多重化されている図４のＡＥＳ音声データ（図１の音声受信装置によりヘッダ情報Ａ，Ｂ及び時間情報データが多重化されたＡＥＳ音声データ）を取得する。
そして、ヘッダ分離部１１は、そのＡＥＳ音声データからヘッダ情報Ａ，Ｂを分離して、そのヘッダ情報Ａ，Ｂをデータ分離制御部１２に出力し、そのヘッダ情報ＡをＡＥＳデータ補間部１４に出力する。
また、ヘッダ分離部１１は、ヘッダ情報Ａ，Ｂを分離したＡＥＳ音声データ（時間情報データが多重化されているＡＥＳ音声データ）をＡＥＳ音声データ・時間情報データ分離部１３に出力する。
図９はヘッダ情報Ａ，Ｂを分離したＡＥＳ音声データ（時間情報データが多重化されているＡＥＳ音声データ）を示す説明図である。
【００３１】
データ分離制御部１２は、ヘッダ分離部１１からヘッダ情報Ａ，Ｂを受けると、そのヘッダ情報Ａ，Ｂを参照して、ＡＥＳ音声データと時間情報データの分離を制御する分離制御信号をＡＥＳ音声データ・時間情報データ分離部１３に出力する。
具体的には、下記に示すような分離制御信号をＡＥＳ音声データ・時間情報データ分離部１３に出力する。
【００３２】
時間情報データが多重化されているＡＥＳ音声データは、図９に示すように、ＮサンプルのＡＥＳ音声データを含み、また、各ＡＥＳ音声データは、図１の音声受信装置によってユーザデータビットＵが削除されているため、図３に示すように、ビット数が３１ビットである。
したがって、例えば、Ｎ＝６４である場合には、ＮサンプルのＡＥＳ音声データのビット数は１９８４ビット（＝（３２−Ａ）×Ｂ：Ａ＝１、Ｂ＝６４）になる。
また、時間情報データのビット数は、ヘッダ情報Ａ（＝１ビット）とヘッダ情報Ｂ（＝６４ビット）の乗算結果に相当するビット数になる（図１の音声受信装置のヘッダ情報生成部３では、“１”を示すヘッダ情報Ａと、“６４”を示すヘッダ情報Ｂを生成している）。したがって、時間情報データのビット数は、６４ビット（＝１×６４））になる。
よって、先頭から１９８４ビット目までがＮサンプルのＡＥＳ音声データであり、１９８５ビット目から６４ビットが時間情報データであるため、データ分離制御部１２は、先頭から１９８４ビット目と１９８５ビット目の間で分離を指示する分離制御信号をＡＥＳ音声データ・時間情報データ分離部１３に出力する。
【００３３】
ＡＥＳ音声データ・時間情報データ分離部１３は、ヘッダ分離部１１からヘッダ情報Ａ，Ｂが分離されたＡＥＳ音声データ（時間情報データが多重化されているＡＥＳ音声データ）を受けると、データ分離制御部１２から出力された分離制御信号にしたがってＡＥＳ音声データと時間情報データを分離する。
ＡＥＳ音声データ・時間情報データ分離部１３は、分離後のＡＥＳ音声データをＡＥＳデータ補間部１４に出力し、分離後の時間情報データを読み出し制御部１６に出力する。
【００３４】
ＡＥＳデータ補間部１４は、ＡＥＳ音声データ・時間情報データ分離部１３からＡＥＳ音声データを受けると、ヘッダ分離部１１により分離されたヘッダ情報Ａ（＝１ビット）が示すビット数分の０データを当該ＡＥＳ音声データに補充して、ＡＥＳ音声データのビット数を３２ビットに戻すようにする（図２を参照）。
ＡＥＳデータ補間部１４は、ＡＥＳ音声データのビット数を３２ビットに戻すと、パリティビットＰの再計算を実施して（ＡＥＳ音声データの一部が０データに置き換えられると、パリティビットＰが変化するので、パリティビットＰの再計算を実施する）、３２ビットのＡＥＳ音声データをＡＥＳデータメモリ部１７に格納する。
【００３５】
基準時間情報受信部１５は、映像信号に係る基準時間情報信号（例えば、映像信号の再生時間を示す時間情報信号）を受信し、その基準時間情報信号を基準時間情報データとして読み出し制御部１６に出力する。
【００３６】
読み出し制御部１６は、ＡＥＳ音声データ・時間情報データ分離部１３から時間情報データを受け、基準時間情報受信部１５から基準時間情報データを受けると、その時間情報データと基準時間情報データを比較し、両者が一致するタイミングで、ＡＥＳ音声データの読み出しを指示する読み出し制御信号をＡＥＳデータメモリ部１７に出力する。
ＡＥＳデータメモリ部１７は、ＡＥＳデータ補間部１４により０データが補充されたＡＥＳ音声データを格納し、読み出し制御部１６から読み出し制御信号が出力されたとき、そのＡＥＳ音声データをＡＥＳ音声信号（図２を参照）として出力する。
【００３７】
以上で明らかなように、この実施の形態３によれば、ヘッダ情報分離部１１により分離されたヘッダ情報Ａが示すユーザデータビットＵのビット数分の０データをＡＥＳ音声データ・時間情報データ分離部１３により分離されたＡＥＳ音声信号に補充して、そのＡＥＳ音声信号をＡＥＳデータメモリ部１７に格納するＡＥＳデータ補間部１４を設け、基準時間情報受信部１５により受信された映像信号に係る基準時間情報とＡＥＳ音声データ・時間情報データ分離部１３により分離された時間情報が一致するタイミングで、ＡＥＳデータメモリ部１７からＡＥＳ音声信号を読み出すように構成したので、映像と音声の同期を図ることができる効果を奏する。
【００３８】
実施の形態４．
上記実施の形態３では、ＡＥＳ音声信号からユーザデータビットＵが削除されてフォーマット変換されているＡＥＳ音声データに時間情報データが多重化されているものから、ＡＥＳ音声データを読み出すものについて示したが、ＡＥＳ音声信号からオグジジャリビットＡＵＸが削除されてフォーマット変換されているＡＥＳ音声データに時間情報データが多重化されているものから、ＡＥＳ音声データを読み出すようにしてもよい。
具体的には、以下の通りである。
【００３９】
ヘッダ分離部１１は、例えば、ハードディスクなどの記録媒体又は伝送路からヘッダ情報Ａ，Ｂ及び時間情報データが多重化されている図７のＡＥＳ音声データ（上記実施の形態２の音声受信装置によりヘッダ情報Ａ，Ｂ及び時間情報データが多重化されたＡＥＳ音声データ）を取得する。
そして、ヘッダ分離部１１は、そのＡＥＳ音声データからヘッダ情報Ａ，Ｂを分離して、そのヘッダ情報Ａ，Ｂをデータ分離制御部１２に出力し、そのヘッダ情報ＡをＡＥＳデータ補間部１４に出力する。
また、ヘッダ分離部１１は、ヘッダ情報Ａ，Ｂを分離したＡＥＳ音声データ（時間情報データが多重化されているＡＥＳ音声データ）をＡＥＳ音声データ・時間情報データ分離部１３に出力する。
図１０はヘッダ情報Ａ，Ｂを分離したＡＥＳ音声データ（時間情報データが多重化されているＡＥＳ音声データ）を示す説明図である。
【００４０】
データ分離制御部１２は、ヘッダ分離部１１からヘッダ情報Ａ，Ｂを受けると、そのヘッダ情報Ａ，Ｂを参照して、ＡＥＳ音声データと時間情報データの分離を制御する分離制御信号をＡＥＳ音声データ・時間情報データ分離部１３に出力する。
具体的には、下記に示すような分離制御信号をＡＥＳ音声データ・時間情報データ分離部１３に出力する。
【００４１】
時間情報データが多重化されているＡＥＳ音声データは、図１０に示すように、Ｎ／４サンプルのＡＥＳ音声データを含み、また、各ＡＥＳ音声データは、上記実施の形態２の音声受信装置によってオグジジャリビットＡＵＸが削除されているため、図６に示すように、ビット数が２８ビットである。
したがって、例えば、Ｎ＝６４である場合には、Ｎ／４サンプルのＡＥＳ音声データのビット数は４４８ビット（＝（３２−Ａ）×Ｂ：Ａ＝４、Ｂ＝６４／４）になる。
また、時間情報データのビット数は、ヘッダ情報Ａ（＝４ビット）とヘッダ情報Ｂ（＝＝１６ビット）の乗算結果に相当するビット数になる（上記実施の形態２における音声受信装置のヘッダ情報生成部３では、“４”を示すヘッダ情報Ａと、“１６”を示すヘッダ情報Ｂを生成している）。したがって、時間情報データのビット数は、６４ビット（＝４×１６）になる。
よって、先頭から４４８ビット目までがＮ／４サンプルのＡＥＳ音声データであり、４４９ビット目から６４ビットが時間情報データであるため、データ分離制御部１２は、先頭から４４８ビット目と４４９ビット目の間で分離を指示する分離制御信号をＡＥＳ音声データ・時間情報データ分離部１３に出力する。
【００４２】
ＡＥＳ音声データ・時間情報データ分離部１３は、ヘッダ分離部１１からヘッダ情報Ａ，Ｂが分離されたＡＥＳ音声データ（時間情報データが多重化されているＡＥＳ音声データ）を受けると、上記実施の形態３と同様に、データ分離制御部１２から出力された分離制御信号にしたがってＡＥＳ音声データと時間情報データを分離する。
ＡＥＳ音声データ・時間情報データ分離部１３は、分離後のＡＥＳ音声データをＡＥＳデータ補間部１４に出力し、分離後の時間情報データを読み出し制御部１６に出力する。
【００４３】
ＡＥＳデータ補間部１４は、ＡＥＳ音声データ・時間情報データ分離部１３からＡＥＳ音声データを受けると、ヘッダ分離部１１により分離されたヘッダ情報Ａ（＝４ビット）が示すビット数分の０データを当該ＡＥＳ音声データに補充して、ＡＥＳ音声データのビット数を３２ビットに戻すようにする（図５を参照）。
ＡＥＳデータ補間部１４は、ＡＥＳ音声データのビット数を３２ビットに戻すと、パリティビットＰの再計算を実施して（ＡＥＳ音声データの一部が０データに置き換えられると、パリティビットＰが変化するので、パリティビットＰの再計算を実施する）、３２ビットのＡＥＳ音声データをＡＥＳデータメモリ部１７に格納する。
【００４４】
なお、ＡＥＳデータ補間部１４が０データを補充する位置は、上記実施の形態３の場合と異なるが、ヘッダ情報Ａと補充する位置を示す位置情報を１対１で対応させれば、位置情報を伝送する必要はない。
例えば、ヘッダ情報Ａが“１”であれば、ユーザデータビットＵの位置に１ビット分の０データを補充し、ヘッダ情報Ａが“４”であれば、オグジジャリビットＡＵＸの位置に４ビット分の０データを補充するように、あらかじめ決めておけばよい。
【００４５】
基準時間情報受信部１５は、上記実施の形態３と同様に、映像信号に係る基準時間情報信号（例えば、映像信号の再生時間を示す時間情報信号）を受信し、その基準時間情報信号を基準時間情報データとして読み出し制御部１６に出力する。
【００４６】
読み出し制御部１６は、ＡＥＳ音声データ・時間情報データ分離部１３から時間情報データを受け、基準時間情報受信部１５から基準時間情報データを受けると、上記実施の形態３と同様に、その時間情報データと基準時間情報データを比較し、両者が一致するタイミングで、ＡＥＳ音声データの読み出しを指示する読み出し制御信号をＡＥＳデータメモリ部１７に出力する。
ＡＥＳデータメモリ部１７は、ＡＥＳデータ補間部１４により０データが補充されたＡＥＳ音声データを格納し、読み出し制御部１６から読み出し制御信号が出力されたとき、そのＡＥＳ音声データをＡＥＳ音声信号（図５を参照）として出力する。
【００４７】
以上で明らかなように、この実施の形態４によれば、ヘッダ情報分離部１１により分離されたヘッダ情報Ａが示すオグジジャリビットＡＵＸのビット数分の０データをＡＥＳ音声データ・時間情報データ分離部１３により分離されたＡＥＳ音声信号に補充して、そのＡＥＳ音声信号をＡＥＳデータメモリ部１７に格納するＡＥＳデータ補間部１４を設け、基準時間情報受信部１５により受信された映像信号に係る基準時間情報とＡＥＳ音声データ・時間情報データ分離部１３により分離された時間情報が一致するタイミングで、ＡＥＳデータメモリ部１７からＡＥＳ音声信号を読み出すように構成したので、映像と音声の同期を図ることができる効果を奏する。
【００４８】
実施の形態５．
上記実施の形態２では、ＡＥＳデータ変換部１がＡＥＳ音声信号に含まれているオグジジャリビットＡＵＸを削除して、そのＡＥＳ音声信号のフォーマットを変換するものについて示したが、例えば、１６ビットのＡＥＳ音声データを伝送する場合、ＡＥＳデータ変換部１がＡＥＳ音声信号に含まれているオグジジャリビットＡＵＸを削除する他に、ＡＥＳ音声信号の下位４ビットを削除（合計、８ビット（＝４＋４ビット）を削除）して、そのＡＥＳ音声信号のフォーマットを変換するようにしてもよい。
【００４９】
この実施の形態５によれば、上記実施の形態２と同様の効果を奏するほか、上記実施の形態２と比較して、削除するビットの数が多い分だけ、より多くのデータを伝送することができる。これにより、例えば、音声の番組種別、チャネル情報、圧縮の有無情報などの音声素材情報をＡＥＳ音声データに多重する場合に効果を奏する。
【００５０】
実施の形態６．
上記実施の形態２では、ＡＥＳデータ変換部１がＡＥＳ音声信号に含まれているオグジジャリビットＡＵＸを削除して、そのＡＥＳ音声信号のフォーマットを変換するものについて示したが、例えば、１６ビットのＡＥＳ音声データを伝送する場合、図１１に示すように、ＡＥＳデータ変換部１がＡＥＳ音声信号に含まれているオグジジャリビットＡＵＸを削除する他に、ＡＥＳ音声信号の下位４ビットと、ユーザデータビットＵとを削除（合計、９ビット（＝４＋４＋１ビット）を削除）して、そのＡＥＳ音声信号のフォーマットを変換するようにしてもよい。
【００５１】
この実施の形態６によれば、上記実施の形態２と同様の効果を奏するほか、上記実施の形態２と比較して、削除するビットの数が多い分だけ、より多くのデータを伝送することができる。これにより、例えば、音声の番組種別、チャネル情報、圧縮の有無情報などの音声素材情報をＡＥＳ音声データに多重する場合に効果を奏する。
【図面の簡単な説明】
【００５２】
【図１】この発明の実施の形態１による音声受信装置を示す構成図である。
【図２】２４ビットの音声データを伝送する場合のＡＥＳ音声信号の最小のデータ構造を示す説明図である。
【図３】ＡＥＳデータ変換部１によるフォーマット変換後のＡＥＳ音声信号であるＡＥＳ音声データのデータ構造を示す説明図である。
【図４】多重化後のＡＥＳ音声データを示す説明図である。
【図５】２０ビットの音声データを伝送する場合のＡＥＳ音声信号の最小のデータ構造を示す説明図である。
【図６】ＡＥＳデータ変換部１によるフォーマット変換後のＡＥＳ音声信号であるＡＥＳ音声データのデータ構造を示す説明図である。
【図７】多重化後のＡＥＳ音声データを示す説明図である。
【図８】この発明の実施の形態３による音声送信装置を示す構成図である。
【図９】ヘッダ情報Ａ，Ｂを分離したＡＥＳ音声データ（時間情報データが多重化されているＡＥＳ音声データ）を示す説明図である。
【図１０】ヘッダ情報Ａ，Ｂを分離したＡＥＳ音声データ（時間情報データが多重化されているＡＥＳ音声データ）を示す説明図である。
【図１１】ＡＥＳデータ変換部１によるフォーマット変換後のＡＥＳ音声信号であるＡＥＳ音声データのデータ構造を示す説明図である。
【符号の説明】
【００５３】
１  ＡＥＳデータ変換部（フォーマット変換手段）、２  時間情報受信部（時間情報受信手段）、３  ヘッダ情報生成部（多重化手段）、４  付加データ多重化部（多重化手段）、１１  ヘッダ分離部（ヘッダ情報分離手段）、１２  データ分離制御部（信号分離手段）、１３  ＡＥＳ音声データ・時間情報データ分離部（信号分離手段）、１４  ＡＥＳデータ補間部（０データ補充手段）、１５  基準時間情報受信部（基準時間情報受信手段）、１６  読み出し制御部（ＡＥＳ音声信号出力手段）、１７  ＡＥＳデータメモリ部（ＡＥＳ音声信号出力手段）。
【図１】
2008257059.tif 000003
【図２】
2008257059.tif 000004
【図３】
2008257059.tif 000005
【図４】
2008257059.tif 000006
【図５】
2008257059.tif 000007
【図６】
2008257059.tif 000008
【図７】
2008257059.tif 000009
【図８】
2008257059.tif 000010
【図９】
2008257059.tif 000011
【図１０】
2008257059.tif 000012
【図１１】
2008257059.tif 000013